(57)【要約】      （修正有）【課題】洗髪における毛穴部分の汚垢の除去効果を高めると共に、毛髪へのトリートメント効果、頭皮への良好な刺戟を与えるマッサージ効果、さらに、遠赤外線輻射効果及びマイナスイオン効果を発揮して、頭皮からの老廃物排出・血行促進、毛根細胞の活性化等の作用が得られるスカルプケア用シャンプーブラシを提供する。【解決手段】スカルプケア用シャンプーブラシ１は、シリコンゴムを塑形材料とし、洋梨椀形状の把持部２と、その先端を尖鋭に形成したブラシ３を全面かつ一体的に成形した基板２ａとから形成する。シリコンゴム中に、遠赤外線・マイナスイオンを発生させる鉱石の粉末を分散して含有させると共に、天然に産出する温泉成分の結晶である温泉鉱泥を含有させる。また、ブラシ３の先端を細分割して細分割毛３ａを形成し、さらに、把持部の裏面周縁の鍔部４にボディマッサージ用の半球状凸起５を複数個配設する。【選択図】図３
0003154737.tif 000002
【実用新案登録請求の範囲】
【請求項１】
シリコンゴムを塑形材料とし、把持部と、その先端を尖鋭に形成したブラシを全面かつ一体的に成形した基板とから形成されたスカルプケ用シャンプーブラシであって、前記シリコンゴム中に、遠赤外線・マイナスイオンを発生させる鉱石の粉末を分散して含有させると共に、天然に産出する温泉成分の結晶である温泉鉱泥を含有したことを特徴とするスカルプケア用シャンプーブラシ。
【請求項２】
ブラシ先端を細分割したことを特徴とする請求項１記載のスカルプケア用シャンプーブラシ。
【請求項３】
把持部の裏面周縁の鍔部にボディマッサージ用の半球状凸起を複数個配設したことを特徴とする請求項１又は請求項２記載のスカルプケア用シャンプーブラシ。
【考案の詳細な説明】
【技術分野】
【０００１】
本考案は、洗髪する際に使用するシャンプーブラシに関し、とくに頭皮や毛穴のケアも同時に行うことを目的としたスカルプケア用シャンプーブラシに関するものである。
【背景技術】
【０００２】
頭皮は皮脂の分泌量が多く、毛穴の内部に蓄積された汚垢は通常の人手だけによる洗髪では充分に除去し難い、そこで、頭皮と毛穴のケアも兼ねたシャンプーブラシの使用が提案されている。すなわち、シャンプーブラシを使用して、スカルプケアと言われる髪の育成促進や地肌へのマッサージ作用を同時行い、育毛剤等の栄養分が隅々まで行き渡る効果等をより高めるものである。
【０００３】
従来この種のシャンプーブラシとしては、プラスチック製把手枠底面の基板下面に、所要長さの細い線条片多数を荒目のブラシ式に設け、その各条片の下端、すなわち先端は夫々丸形に形成したものが知られている。先端が丸く、電動用の緩やかな円錐型のゴム製またはポリエチレン製の按摩子が知られている。こうしたブラシを使用して洗髪を行うと、毛髪や頭皮に溜まった汚れが効果的に掻き出されると共に、シャンプー液が毛髪全体に満遍なくいきわたる。一般に、先髪に際して使用されるシャンプーブラシは、複数の突起が設けられた底板と、この底板の上面を覆う把持部や握り手となる柄とからなるもの（例えば、特許文献１参照又は特許文献２参照。）。ブラシ突起を洗髪時の移動方向に沿って基台の先端部から後端部になるにつれてその密度を次第に大きくなるように配置し、シャンプー液を使用することなく水のみで充分な洗浄力を得ようとするもの（特許文献３参照。）。等が提案されている。
【先行技術文献】
【特許文献】
【０００４】
【特許文献１】実用新案登録第２５２４４７５号公報
【特許文献２】実用新案登録第３０４０３９８号公報
【特許文献３】実開平６−７２５０４号公報
【考案の開示】
【考案が解決しようとする課題】
【０００５】
しかしながら、従来のシャンプーブラシの先端は丸く形成されているので、頭皮に接触の際の滑りはよいが、毛穴部分の汚れ除去には効果が少なく、また、単なるプラスチックのみを原料としたブラシでは頭皮への刺激効果は図れるものの、血行促進や毛根活性化の作用までは期待し難い。この考案は上記のような従来技術の問題点に鑑みなされたものであり、洗髪における毛穴部分の汚垢の除去効果を高めると共に、毛髪へのトリートメント効果、頭皮への良好な刺戟を与えるマッサージ効果、さらに、遠赤外線輻射効果及びマイナスイオン効果を発揮して、頭皮からの老廃物排出・血行促進、毛根細胞の活性化等の作用が得られるスカルプケア用シャンプーブラシを提供することを目的とする。
【課題を解決するための手段】
【０００６】
上記の目的を達成するために、本考案におけるスカルプケア用シャンプーブラシは、シリコンゴムを塑形材料とし、把持部と、その先端を尖鋭に形成したブラシを全面かつ一体的に成形した基板とから形成されたスカルプケア用シャンプーブラシであって、前記シリコンゴム中に、遠赤外線・マイナスイオンを発生させる鉱石の粉末を分散して含有させると共に、天然に産出する温泉成分の結晶である温泉鉱泥を含有したことを第１の特徴とする。また、ブラシ先端を細分割したことを第２の特徴とする。さらに、把持部の裏面周縁の鍔部にボディマッサージ用の半球状凸起を複数個配設したことを第３の特徴とする。
【考案の効果】
【０００７】
（１）ブラシ内に、遠赤外線・マイナスイオンを発生させる鉱石の粉末を分散して含有させると共に、天然に産出する温泉成分の結晶である温泉鉱泥を含有させたので、遠赤外線輻射効果及びマイナスイオン効果を発揮して、頭皮からの老廃物排出・血行促進、毛根細胞の活性化等の作用が得られる。
（２）毛髪にハリとコシが付与され、トリートメント効果が得られるので、シャンプー液のみ使用で済み、トリートメント剤が不要になり経済的である。
（３）ブラシの先端部分を細分割して尖鋭に形成したので、頭皮を適度に刺戟するマッサージ効果が得られ、毛穴内の垢擦りも充分に行うことができ、抜け毛も防止できる。
【考案を実施するための最良の形態】
【０００８】
以下、本考案の実施の形態を図面に示す実施例に基づいて説明する。
図１は本考案に係るシャンプーブラシの一実施例を示す表面側斜視図、図２は本考案に係るシャンプーブラシの一実施例を示す背面側斜視図、図３は本考案に係るシャンプーブラシの（ａ）は平面図、（ｂ）は（ａ）のＡ−Ａ線断面図、図４は本考案に係るシャンプーブラシの（ａ）は背面図、（ｂ）は（ａ）の正面図である。
【実施例】
【０００９】
図１乃至図４に示すように、本考案に係るシャンプーブラシ１の基本的形態は、シリコンゴムを塑形材料とし、洋梨椀形状の把持部２と、略円錐形状でその先端を尖鋭に形成したブラシ３を全面かつ一体的に成形した基板２ａとから形成されている。すなわち、ブラシ基台２とブラシ基台２から突出するブラシ突起３が一体的に成形されている。１ａはフック掛用の透孔である。また、把持部の裏面周縁の鍔部４に半球状凸起５を複数個配設し、ボディマッサージができるようにされている。マイナスイオンの発生により美肌効果も得られる。
【００１０】
本実施例では、ブラシ突起は長さが約１５ｍｍで、最外周に配置されるブラシ３は先端が丸く形成され、基板２ａの内方に配置されるブラシ３の毛先はさらに細分割して形成されている。具体的にはブラシ３の先端平坦面に、さらに先端を尖鋭にした２本の小突起３ａが一体的に形成されている。すなわち、第１の突起３の先端側に、第１の突起３の径よりもさらに細い径の第２の突起３ａが段階的に複数個設けられている。この小突起（第２の突起）３ａにより、指先だけの洗髪では落としきれない毛穴内部の微細な汚垢もしっかりと除去することができ髪と地肌をリフレッシュすることができる。また、髪や地肌に残ったムースやジェルも充分に洗い落とすことができる。
【００１１】
本考案に係るシャンプーブラシの製造方法の概要は以下のとおりである。
まず、温泉鉱泥と酸化第二鉄（Ｆｅ２Ｏ３）セラミック粉体、カオリナイトを混合し、よく練り合せ、一定温度に加熱した後、粉砕する。こうして得られた第二次的鉱泥セラミックに、更にトルマリン等（遠赤外線・マイナスイオンを発生させ一般に電気石と称される鉱石）の微粉末を加えてシリコンゴム基材中に空気を含有させつつ攪拌して均一に分散させ、脱泡作業を行った後、この混合液にブラシ成形用金型を浸漬して引き上げ、加熱してゲル化させる。
【００１２】
このように形成された本考案のシャンプーブラシ１は、酸化鉄セラミックの持つ遠赤外線放射及びトルマリン等の遠赤外線放射・マイナスイオン発生効果と共に、温泉鉱泥から生ずる温泉効果を利用して、頭皮における血行を高め、毛根細胞を活発化させる。
【００１３】
次に、原料の一つである温泉鉱泥の物性について詳細に説明する。
例えば、大分県別府市の山間部は、温泉の噴気（ガス）が自噴している。このガスを導いて、均等に敷き詰めた栗石の間を通すと、ガスはその圧力により上記栗石の間を上昇する。この栗石の上方に、この地方特有のモンモリロナイトを主体とする「青粘土」を作用させると、ガスは粘土中の粒子の間を毛細管現象によりゆるやかに上昇する。そして、この上昇の間に、ガスの主成分である硫気ガス（ＳＯ２）の一部は硫酸に変わる。さらに、この硫酸が下方からの圧力により上昇する間に、粘土中のアルミニウムや鉄等の鉱物質を溶解しつつ表面に至る。表面では、水分は蒸発し、金属硫化物を多量に含んだ硫酸礬土が結晶状態で得られる。この結晶を外気から守るため、例えば、藁屋根のサシカケ小屋が用いられる。
【００１４】
上述のごとく、粘土に温泉ガスを作用させて３０〜６０日程度が経過すると、硫酸礬土は粘土の表面上５〜６ｃｍ程度に成長する。これを適宜の道具で掻き取り原料とする。尚、青粘土は、２〜３回の使用が限度であり交換する必要がある。硫酸礬土の収穫作業は粘土を交換しては繰り返される。
上述のごとき作業により得られた硫酸礬土を、ほぼ同量の温泉水中に分散させ、混合・攪拌した上で、鉱泥を沈澱させ、濾過して、１００〜１２０メッシュ程度の温泉鉱泥を得る。この温泉鉱泥の成分は、おおよそ以下のとおりである。
水分                        ４４％
固形分                      ５６％
また、固形分の内訳は、例えば、以下のとおりである。
鉄分                        ３８．１１％
アルミニウム                １３．２５％
硫酸                          ６．２８％
【００１５】
微量金属等の含有量については、例えば、以下のとおりである。
ゲルマニウム                ９７．９３ｐｐｍ
銅                          ２３．５３ｐｐｍ
マンガン                  １０４．６２ｐｐｍ
金                            ６．３８ｐｐｍ
亜鉛                        ７０．５９ｐｐｍ
砒素                        ５８．４６ｐｐｍ
鉛                          ２５．２６ｐｐｍ
尚、上述のごとき成分を含有する温泉鉱泥を約１０００倍の水に分散させて入浴に用いれば、皮膚障害及び血行の促進等の効能を有するものである。
【００１６】
本実施例に係るシャンプーブラシのさらに詳しい製造方法は、以下のとおりである。
まず、１０００℃程度の高温中に３時間置きセラミック化した化粧品原材料基準に記載されているベンガラ（主成分は三二酸化鉄）と、同じく化粧品原材料基準に記載されているカオリン（含珪酸アルミニウム）とを、上述のごとき成分を含有する温泉鉱泥を水で溶かしたものとをほぼ同量ずつ混合し、よく練り合わせた後、自然乾燥させる。その後、上記混合物を約５３０℃程度の温度で３時間焼成する。この工程を経ることにより、上記鉱泥中に含まれていた砒素の量を健康基準に規定される１ｍｇ／ｋｇ以下とすることができる。こうして得られた物質（以下、温泉鉱泥セラミックという）を粉砕して好ましくは９μ以下の微粉末とする。
【００１７】
さらに、上述の微粉末化した温泉鉱泥セラミックと、トルマリン等の微粉末を加えて練成し、これに更に、二液型ゴムシリコン用希釈剤及び硬化剤を加え、希釈剤を加えて適度の濃度に調整する。その後、本品の主剤となるゴムシリコンを投入し、全体を均一に混合する。尚、ここでいう二液型ゴムシリコンとは、主剤と硬化剤を混合し、加熱し硬化させるタイプのシリコン剤であり、例えば、信越化学工業株式会社製でＫＥ・ＫＦシリーズとして製品化されているもの等がある。
【００１８】
混合に際しては、原料中のトルマリン等のいわゆる電気石のマイナスイオンを効果的に発生させるため、これらの鉱石の微粉末同士の間に空気の微小な間隙を生じさせるよう空気を加圧封入しつつ所要時間攪拌を行う。原料の攪拌時に空気を加圧封入することにより、他の粒子と非接触状態、すなわち空間的に相離間したトルマリン等の粒子数が増加し、トルマリン等の粒子に存するプラス極とマイナス極の総数が増加する。これにより、トルマリン粒子のプラス極部分に周囲のマイナスイオンが多数集まり、マイナスイオン帯電量が増大する事になる。つまり、トルマリン等の粒子間に働く静電気的相互作用が増大することから、マイナスイオン効果が高まることとなる。
【００１９】
次いで、こうして混合された原料液の脱泡作業を行う。この脱泡作業は、これは気泡残留によるシャンプーブラシ１の破損を防ぐため、ドライヤー等で原料液表面に風を送り、風圧を加えて気泡を潰すという強制脱泡により行う。次いで、ブラシ成形用金型を備えたイジェクション成形機に投入してシャンプーブラシ１を得る。
【００２０】
本考案に係るシャンプーブラシ１には、温泉鉱泥セラミック成分が高濃度に分布している。尚、シリコンゴムについては、通常、硫化物を含んだものの硬化は困難とされているが、本考案に係るシャンプーブラシ１においては、接着用シリコンと非接着用シリコンの混合及び加熱条件を１１０℃から１６０℃で２５分間乃至１７分間程度加熱するよう工夫したことにより、前述のごとき内容物を含む二液型ゴムシリコンの硬化に成功したものである。
【００２１】
また、得られたシャンプーブラシ１については、柔軟性に富み、人の皮膚に適度になじみ易いという物理的特徴を有する。さらに、温泉鉱泥中に含有されていた硫化物が、シリコンゴムの微細な孔を通して滲み出ることが確認できる。また、本製品を、ｐＨ７の水道水に浸すと４時間経過程度でｐＨが０．１〜０．１５程、酸性側に動くことからもこれが裏付けられる。また、これらの製品の自然放置状態での帯電量は３キロボルトから５キロボルトであることが実験により確認されている。これはそもそもシリコンゴム自体がマイナスの電荷を持つため、その相乗効果により発生する電気量が増大するものと考えられる。
【００２２】
したがって、本考案に係るシャンプーブラシ１は、遠赤外線放射効果に加えて、電気石による電気的刺激がこれに加わると共に、さらに、温泉鉱泥中の温泉成分が頭皮を刺激して血行及び毛根細胞活性効果を促進するという相乗作用的な効果を生ずるものである。
【産業上の利用可能性】
【００２３】
本考案のシャンプーブラシは、家庭用のみならず、広汎な需要を獲得できるばかりでなく、理容院や美容院での広汎な需要を獲得できる。
【図面の簡単な説明】
【００２４】
【図１】本考案に係るシャンプーブラシの一実施例を示す表面側斜視図である。
【図２】本考案に係るシャンプーブラシの一実施例を示す背面側斜視図である。
【図３】本考案に係るシャンプーブラシの（ａ）は平面図、（ｂ）は（ａ）のＡ−Ａ線断面図である。
【図４】本考案に係るシャンプーブラシの（ａ）は背面図、（ｂ）は（ａ）の正面図である。
【符号の説明】
【００２５】
１    シャンプーブラシ
１ａ  透孔
２    ブラシ基台（把持部）
２ａ  ブラシ表面
２ｂ  ブラシ裏面（凹所）
３    ブラシ
３ａ  突起（細分割毛）
４    鍔部
５    半球状凸部
【図１】
0003154737.tif 000003
【図２】
0003154737.tif 000004
【図３】
0003154737.tif 000005
【図４】
0003154737.tif 000006